(57)【要約】【課題】  保証副走査サイズを超えた長尺原稿の扱いやすさを向上させることを目的とする。【解決手段】  保証副走査サイズ以上の原稿を読み込む場合には、最初に読み込んだ領域からプレビュー画像を生成し、読み込めなかった領域（保証副走査サイズをこえた領域）は前記プレビュー画像に余白として付加して表示することで、ユーザーにどの位置で原稿をカットして再び読み込みを行なえばよいかを指示し、また、縮小読み込みを行なえば原稿を切らずに読み込むことができる場合には、その変倍率を表示する。【選択図】  図１
2005229360.tif 000002
【特許請求の範囲】
【請求項１】
原稿を所望の変倍率で読み取り、画像データを生成する読み取り手段と、
読み取った画像データを蓄積するための画像データ蓄積手段と、
蓄積した画像データに色空間変換処理、二値化処理、回転、変倍、符号変換等の変換を施す画像処理手段と、
画像データを用紙にプリントするあるいは他の通信装置に送信する出力手段を設けた画像処理装置であって、
ガイド幅検知手段と、
原稿の副走査サイズ検知手段と、
検知したガイド幅および変倍率から画像メモリ内に収めることができる副走査サイズを決定する保証副走査サイズ決定手段と、
検知した原稿の副走査サイズが保証副走査サイズを超えた場合に、操作部上に原稿を正しく読み込むことができなかったことを表示する手段と、
を持つことを特徴とする画像処理装置。
【請求項２】
検知した原稿の副走査サイズが保証副走査サイズを超えた場合に、読み込めた画像からプレビュー画像を生成し、さらに読み込むことができなかった領域に関しては前記プレビュー画像に余白として付加して表示する手段、
を持つことを特徴とする請求項１記載の画像処理装置。
【請求項３】
検知した原稿の副走査サイズが保証副走査サイズを超えた場合に、原稿を縮小読み込みすることにより画像メモリ内に収めることができるよう変倍率を計算する変倍率決定手段、
を持つことを特徴とする請求項２記載の画像処理装置。
【請求項４】
検知した原稿の副走査サイズが保証副走査サイズを超えた場合に、原稿をいくつのサイズに切断すれば読み込むことができるかを表示する手段、
を持つこと特徴とする請求項２記載の画像処理装置。
【発明の詳細な説明】
【技術分野】
【０００１】
本発明は、長尺原稿を扱うことができるコピー機能やＦａｘ送信機能を有する画像処理装置に関する。
【背景技術】
【０００２】
Ａ３やＢ４といったカット紙と比較し副走査方向に長いサイズの原稿（いわゆる長尺原稿）を複写機に読み込ませる場合、画像メモリの制約などから、その副走査サイズに制限がかけられている。例えばＡ３長尺原稿の保証副走査サイズは４５３ｍｍ、Ｂ４長尺原稿の保証副走査サイズは５１３ｍｍなどである。従って、保証副走査サイズ以上の原稿を読み込ませると機器の仕様によりジャムとなったり、保証副走査サイズ分のみ読み込み、用紙へ出力するあるいは送信していた。したがって保証副走査サイズ以上の原稿を読み込ませたい場合には、ユーザー自身が原稿を保証副走査サイズの長さに切ってＤＦから必要枚数読み込ませるか、原稿を切らない場合には縮小読み込みを行なうことになる（特許文献１参照）。
【特許文献１】特登録０３３８２２５４号公報
【発明の開示】
【発明が解決しようとする課題】
【０００３】
しかしながら、保証副査サイズはガイド幅（主走査幅）や変倍率によって異なるため、保証副走査サイズ以上の原稿を読み込ませたい場合には、ユーザーがどこで原稿をカットすればよいのか、あるいは変倍率をいくつに設定すれば一度に長尺原稿を読み込むことができるのかを、分かりやすく提示する必要がある。
【０００４】
（発明の目的）
本発明は、上記問題を鑑みてなされたもので、保証副走査サイズ以上の原稿を読み込む場合には、最初に読み込んだ領域からプレビュー画像を生成し、読み込めなかった領域（保証副走査サイズをこえた領域）は前記プレビュー画像に余白として付加して表示することで、ユーザーにどの位置で原稿をカットして再び読み込みを行なえばよいかを指示する。また、縮小読み込みを行なえば原稿を切らずに読み込むことができる場合には、その変倍率を表示することで、保証副走査サイズを超えた長尺原稿の扱いやすさを向上させることを目的とする。
【課題を解決するための手段】
【０００５】
上記目的を達成するため、原稿を所望の変倍率で読み取り、画像データを生成する読み取り手段と、読み取った画像データを蓄積するための画像データ蓄積手段と、蓄積した画像データに色空間変換処理、二値化処理、回転、変倍、符号変換等の変換を施す画像処理手段と、画像データを用紙にプリントするあるいは他の通信装置に送信する出力手段を設けた画像処理装置であって、ガイド幅検知手段と、原稿の副走査サイズ検知手段と、検知したガイド幅および変倍率から画像メモリ内に収めることができる副走査サイズを決定する保証副走査サイズ決定手段と、検知した原稿の副走査サイズが保証副走査サイズを超えた場合に、操作部上に原稿を正しく読み込むことができなかったことを表示する手段を持つことで、前記の問題を解決することができる。
【０００６】
また、検知した原稿の副走査サイズが保証副走査サイズを超えた場合に、読み込めた画像からプレビュー画像を生成し、さらに読み込むことができなかった領域に関しては前記プレビュー画像に余白として付加して表示する手段を持つことで前記の問題を解決することができる。
【０００７】
また、検知した原稿の副走査サイズが保証副走査サイズを超えた場合に、原稿を縮小読み込みすることにより画像メモリ内に収めることができるよう変倍率を計算する変倍率決定手段を持つことで前記の問題を解決することができる。
【０００８】
また、検知した原稿の副走査サイズが保証副走査サイズを超えた場合に、原稿をいくつのサイズに切断すれば読み込むことができるかを表示する手段を持つことで前記の問題を解決することができる。
【発明の効果】
【０００９】
以上詳述したように本発明の画像処理装置によれば、保証副走査サイズを超える長尺原稿は、最初に読み込んだ領域からプレビュー画像を生成し、読み込めなかった領域（保証副走査サイズをこえた領域）は前記プレビュー画像に余白として付加して表示することで、ユーザーにどの位置で原稿をカットして再び読み込みを行なえばよいかを指示する。また、縮小読み込みを行なえば原稿を切らずに読み込むことができる場合には、その変倍率を表示することで、保証副走査サイズをこえた長尺原稿の扱いやすさを向上させることができる。
【発明を実施するための最良の形態】
【００１０】
以下、本発明の一実施例について図面を参照して説明する。
【００１１】
図１は、本発明にかかる基本的なシステム構成を示す図である。図１において、１−４は、デジタル複合機で、プリントジョブ、スキャンジョブ、ファックスジョブ、コピージョブ等、種々のジョブを実行処理し、装置内部には印刷データを保存しておく外部記憶装置が備わっている。１−１、１−２、１−３は、種々のジョブを生成しデジタル複合機１−４にジョブを送信するホストコンピュータであり、またデジタル複合機１−４内部の外部記憶装置に印刷データを送信することができる。ホストコンピュータ１−１および１−２はそれぞれが、ＬＡＮ（ローカルエリアネットワーク）１−５に接続されており、また、ホストコンピュータ１−３は、ＬＡＮではなくパラレル（またはシリアル）などのインタフェース１−６で接続されている。
【００１２】
図２は、本システムにおける基本的な構成を示すシステムブロック図である。２−１はＣＰＵ、即ち中央処理装置であり、この装置全体の制御及び演算処理等を行なうものである。２−２はＲＯＭ即ち読み出し専用メモリであり、システム起動プログラムやプリンタエンジンの制御を行なうプログラム及び文字データ、文字コード情報等の記憶領域である。２−３はＲＡＭ即ちランダムアクセスメモリであり、使用制限のないデータ記憶領域で、ダウンロードにより追加登録されたフォントデータが記憶されたり、様々な処理毎にプログラムやデータがロードされ実行される。また画像データを処理する際に一時記憶するための画像メモリでもある。２−４は、例えばハードディスク等の外部記憶装置であり、印刷装置か受け付けた印刷ジョブをスプールしたり、プログラムや画像データ等が格納されたり、作業用の領域として利用されたりする。２−５は液晶などの表示部であり、印刷装置の設定状態や、現在の印刷装置内部の処理、エラー状態などの表示に使用される。２−６は操作部であり、印刷装置の設定を変更したり、リセットするために使用される。２−７はエンジンインターフェイスであり実際にエンジンを制御するコマンド等のやり取りする口である。ここでのエンジンとはスキャナおよびプリンタを指す。２−８はネットワークインターフェイスであり、このインターフェイスを介して機器がネットワークに接続される。２−９は外部インターフェイスであり、パラレル（またはシリアル）などのインターフェイスを介してホストコンピュータと接続される。２−１０はシステムバスであり、上述の構成要素間のデータの通路となるべきものである。例えば、スキャナから画像データを読み取り、プリンタから出力するコピー動作は次のようになる。操作部２−６の入力をきっかけにして、ＲＡＭ２−３に格納されたプログラムが動作を始め、まずエンジンＩ／Ｆ２−７を介してスキャナ２−１１に起動が掛かり原稿の読み取りが始まる。読み取られた画像データは一旦ＲＡＭ２−３に格納される。次にエンジンＩ／Ｆ２−８を介してプリンタに起動が掛かり、プリンタと同期して先ほどＲＡＭ２−３に格納された画像データが出力される。ここでは、一度画像データをＲＡＭ２−３に格納し終わってから、プリンタに出力する場合を説明したが、スキャナ２−１１の画像読み取りに同期して、ＲＡＭ２−３への格納とプリンタ２−１２への出力を同時に行なうことも考えられる。また、動作中には操作者に処理中であることを知らせたり、読み取り原稿枚数を通知する情報が表示部２−５には表示される。さらに、格納した画像データをネットワークＩ／Ｆを介して他のプリンタや複写機に転送したり、外部記憶装置２−４に画像データを不揮発データとして保存することも可能である。
【００１３】
図３は、長尺原稿の読み込みを示すフローチャートである。まず、ステップＳ３−１においてユーザーがＤＦに原稿をセットし、ＣＯＰＹ、ＦＡＸ送信などの機能を選択する（ここでは処理の説明上Ｆａｘ送信を選択したと仮定する）。また同時に変倍率（解像度）やカラーモードなどの読み取り設定を行なう。設定終了後、ユーザーがスタートキーを押下するとＳ３−２へ進み、スキャナのガイド幅（原稿主走査サイズに相当）を取得する。この取得したガイド幅とＳ３−１でユーザーが設定した変倍率（ここでは解像度）から保証副走査サイズを算出する（Ｓ３−３）。保証副走査サイズの算出方法を述べる。スキャナから読み込まれた画像データはＲＡＭ２−３に一時保存される。このとき使用できるＲＡＭには制限があるため、画像データは次式を満たさなければならない。
【００１４】
ＲＡＭサイズ＞画像データ（１）
処理の説明上２値でスキャンした場合に使用できるＲＡＭサイズを９Ｍｂｙｔｅとし、Ｓ３−１においてユーザーが設定した解像度を主走査方向Ｍｘ［ｄｐｉ］、副走査方向Ｍｙ［ｄｐｉ］、Ｓ３−２で取得したガイド幅をＸ［ｍｍ］、１インチが２５．４ｍｍであることを考慮して上式にあてはめると、
【００１５】
【数１】
2005229360.tif 000003
【００１６】
となり、この式を満たすＹ［ｍｍ］が保証副走査サイズということになる。次にステップＳ３−４にて原稿を読み込みながら変倍処理、色変換処理等を行い、Ｓ３−３で求めた保証副走査サイズ分をＲＡＭ２−３に保存する。原稿の保証副走査サイズを超えた領域に対しては読み込みは行なわずに原稿の排出のみ行なう。ステップＳ３−５では、ＲＡＭに一時保存した画像データをＨＤＤへ移す。ステップＳ３−６において、原稿副走査サイズが保証副走査サイズより短かったかを判断し、短かった場合はステップＳ３−７へ進み、ＨＤＤに保存した画像データをプリントあるいは送信し、処理は終了する。Ｓ３−６で原稿副走査サイズが保証副走査サイズより長かった場合は、ステップＳ３−８へと進み、ＨＤＤに保存した画像データをもとにプレビュー画像を生成する。このとき前記プレビュー画像には読み込みを行なえなかった領域（保証副走査サイズを越えた領域）が余白として付加されている。次にステップＳ３−９へと進み、表示部２−５に前記プレビュー画像とともに、保証副走査サイズを超えた原稿であることを表示する。ステップＳ３−１０ではＳ３−２で取得したガイド幅をＸ［ｍｍ］、原稿副走査サイズをＹ［ｍｍ］として式（２）を満たす変倍率（ここではＦａｘ送信を想定しているため解像度とする）Ｍｘ［ｄｐｉ］（主走査方向）、Ｍｙ［ｄｐｉ］（副走査方向）を求める。このとき（Ｍｘ、Ｍｙ）のとり得る値は（１００、１００）、（２００、１００）、（１５０、１５０）、（２００、２００）、（２００、４００）、（３００、３００）、（４００、４００）、（６００、６００）であり、式（２）を満たす最大の解像度の組を（Ｍｘ１、Ｍｙ１）とする（解像度から変倍率を求めるにはＭｘ１／６００、Ｍｙ１／６００で求めることができる）。ただし、原稿の副走査サイズによっては（Ｍｘ１、Ｍｙ１）が求まらない場合もある。次にステップＳ３−１１において保証副走査サイズを超えた領域を読み込むために、ステップＳ３−１０で求めた解像度で読み直しを行なうか（ステップＳ３−１０で（Ｍｘ１、Ｍｙ１）が求まっていた場合）、原稿を保証副走査サイズでカットし分割して読み込むか、読み込めた分だけで良いかを表示部２−５に表示し、ユーザーに選択させる。ユーザーがＳ３−４で読み込めた保証副走査サイズ分のみで良いと判断した場合はステップＳ３−７へと進む。一方、解像度（変倍率）を変更して読み直す場合にはステップＳ３−１２へ進み、（Ｍｘ１、Ｍｙ１）を機器に設定する。ステップＳ３−１３でユーザーに原稿をＤＦにセットしなおしてもらい、スタートキーの押下によりステップＳ３−１４で原稿の読み込みを行なう。ここでは必ず読み込めるためそのままステップＳ３−７へと進み、送信（あるいはプリント）が開始される。またステップＳ３−１１で原稿を分割して読み込みを行なうとユーザーが選択した場合はステップＳ３−１５に進み、表示部２−５に前記プレビュー画像とともにステップＳ３−３で算出した保証副走査サイズを表示する。ユーザーに前記表示を参考に保証副走査サイズに原稿をカットしてもらい（ステップＳ３−１６）、読み込みの終わっていないカットした原稿（保証副走査サイズをこえていた領域の原稿）がＤＦにセットされ（ステップＳ３−１７）、スタートキーが押下されれば原稿の読み込みが開始し（ステップＳ３−１８）、ＨＤＤへの画像データの保存（ステップＳ３−１９）が行なわれる。このとき、カットされた原稿が複数枚あればステップＳ３−１８からＳ３−１９が原稿の枚数分繰り返されることになる。全ての原稿が読み終わるとステップＳ３−７へと進み、送信（あるいはプリント）が開始され処理が終了する。
【図面の簡単な説明】
【００１７】
【図１】画像処理システムの構成を示す図
【図２】基本的な構成を示すブロック図
【図３】長尺原稿読み込みのフローチャート
【図４】プレビュー画像生成のフローチャート
【図１】
2005229360.tif 000004
【図２】
2005229360.tif 000005
【図３】
2005229360.tif 000006
【図４】
2005229360.tif 000007